(57)【要約】【課題】給蒸を開始したボイラが存在する場合において、圧力安定性を維持できるボイラシステムを提供すること。【解決手段】複数のボイラ２０を備えるボイラ群２と制御部４とを備えるボイラシステム１であって、制御部４は、要求負荷に応じて、複数のボイラ２０のうち給蒸していないボイラ２０に対して、起蒸指示を行う起蒸指示部４２と、起蒸指示部４２により当該ボイラ２０が給蒸を開始したか否かを判定する第1判定部４６と、第1判定部４６により当該ボイラ２０が給蒸を開始したと判定されてから第１時間が経過したか否かを判定する第２判定部４４と、複数のボイラ２０のうち蒸気を供給しているボイラである給蒸ボイラ２０の出力蒸気量を要求負荷に応じて変更することで、要求負荷に応じた目標蒸気量の蒸気を出力するための制御を行う出力制御部４５と、を備える。【選択図】図３
2015190664.tif 000002
【特許請求の範囲】
【請求項１】
燃焼率を変更して燃焼可能な複数のボイラからなり、負荷機器に蒸気を供給するボイラ群と、
負荷機器からの要求負荷に応じた目標蒸気量の蒸気を生成するために、前記ボイラ群の燃焼状態を制御する制御部と、
を備えるボイラシステムであって、
前記制御部は、
要求負荷に応じて、複数の前記ボイラのうち給蒸していないボイラに対して、給蒸開始のための起蒸指示を行う起蒸指示部と、
前記起蒸指示部により起蒸指示された前記ボイラが給蒸を開始したか否かを判定する第１判定部と、
前記第１判定部により、前記起蒸指示された前記ボイラが給蒸を開始したと判定されてから第１時間が経過したか否かを判定する第２判定部と、
複数の前記ボイラのうち蒸気を供給しているボイラである給蒸ボイラの出力蒸気量を要求負荷に応じて変更することで、要求負荷に応じた目標蒸気量の蒸気を出力するための制御を行う出力制御部と、
を備えるボイラシステム。
【請求項２】
前記出力制御部は、前記第１判定部により給蒸を開始したと判定された給蒸開始ボイラの単位時間あたりの出力蒸気量の増加量を、前記第２判定部により前記第１時間を経過したと判定されるまでの間、当該ボイラの単位時間あたりに増加可能な蒸気量の上限値として予め設定される最大増加蒸気量未満に抑制する請求項１に記載のボイラシステム。
【請求項３】
前記第２判定部により前記第１時間を経過したと判定されるまでの間、前記第１判定部により給蒸を開始したと判定された給蒸開始ボイラの単位時間あたりの出力蒸気量の増加量は、予め設定される第１増加量以下である請求項２に記載のボイラシステム。
【請求項４】
前記第１増加量は前記給蒸開始ボイラの単位蒸気量である請求項３に記載のボイラシステム。
【請求項５】
前記第１増加量は前記給蒸開始ボイラの最大蒸気量の１％以下である請求項３に記載のボイラシステム。
【請求項６】
前記第１増加量はゼロである請求項５に記載のボイラシステム。
【発明の詳細な説明】
【技術分野】
【０００１】
本発明は、ボイラシステムに関する。
【背景技術】
【０００２】
従来、複数のボイラを燃焼させて蒸気を発生させるボイラシステムとして、ボイラの燃焼量を連続的に増減させて蒸気の発生量を制御する、いわゆる比例制御方式のボイラシステムが提案されている。
そして、このようなボイラシステムにおいては、給蒸中のボイラ（以下、「給蒸ボイラ」ともいう）の負荷が均一になるように、燃焼量を増加させる場合には各ボイラの燃焼率が最も低いボイラを優先的に燃焼量を増加させ、また燃焼量を減少させる場合には各ボイラの燃焼率が最も高いボイラを優先的に燃焼量を減少させる制御を行うことがなされている。そうすることで、最終的に給蒸中のボイラの燃焼率がそれぞれほぼ同じとなる。
【０００３】
例えば、特許文献１には、ボイラを、台数増加負荷ゾーン（例えば燃焼率８０％以上）、最適運転負荷ゾーン（例えば燃焼率５０％〜８０％）及び台数減少負荷ゾーン（例えば燃焼率５０％未満）の３つの負荷ゾーンに区分し、ボイラが台数増加負荷ゾーンで燃焼している場合に燃焼させるボイラの台数を増加させ、ボイラが台数減少負荷ゾーンで燃焼している場合に燃焼させるボイラの台数を減少させる比例制御ボイラの制御方法が提案されている。そして、この特許文献１で提案された比例制御ボイラの制御方法では、燃焼させるボイラの台数の増減を行った後には、燃焼しているすべてのボイラを均等な燃焼率で運転させている。
【先行技術文献】
【特許文献】
【０００４】
【特許文献１】特開平１１−１３２４０５号公報
【発明の概要】
【発明が解決しようとする課題】
【０００５】
ところで、燃焼させるボイラの台数を増加させる場合、台数制御装置（制御部）は、複数のボイラのうち給蒸していないボイラに対して、給蒸開始のための起蒸指示を行う。
ここで、給蒸していないボイラとして、燃焼停止状態のボイラ及び連続パイロット燃焼状態（種火の状態）のボイラが挙げられる。燃焼停止状態のボイラは、給蒸開始のための起蒸指示を受けた場合、プレパージを行ってボイラの内部に残存する燃料の未燃焼成分を除去し、プレパージが完了した後に、燃料を燃焼させて蒸気の生成を開始する。これに対して、連続パイロット燃焼状態（種火の状態）のボイラは、給蒸開始のための起蒸指示を受けた場合、プレパージすることなく、燃焼開始させて蒸気の生成を開始する。
いずれにしても、給蒸開始のための起蒸指示を受けたボイラ（以下「増缶ボイラ」ともいう）は通常、最少燃焼率、例えば２０％で燃焼を開始する。このため、台数制御装置（制御部）は、燃焼量を増加させる場合に、給蒸中のボイラの負荷が均一になるように各ボイラの燃焼率が最も低いボイラの燃焼量を優先的に増加させるという従来の制御を実行すると、ボイラ群のなかに給蒸を開始したボイラが存在する場合には、当該ボイラのみ極端に燃焼率が低い状態となるため、当該ボイラに集中して燃焼量を増加させることになる。
【０００６】
特許文献１で提案された手法においても、運転している各ボイラが均等に負荷を受け持つように、各ボイラの最適運転負荷域でボイラ台数を制御する。そのため、給蒸を開始したボイラが存在している場合には、給蒸を開始したボイラに集中して燃焼量を増加させることになる。
【０００７】
しかしながら、起蒸指示を受けたボイラ（増缶ボイラ）は、燃料を燃焼させてから実際に蒸気を生成するまでに遅延時間があるため、増缶ボイラがまだ給蒸していない状態であるにも関わらず、制御部は、増缶ボイラが給蒸を開始していると誤判断するおそれがある。また、ボイラの特性や設備的な問題で、増缶ボイラは、給蒸開始直後は、出力蒸気量増加が安定しないことがあるため、例えば当該ボイラの単位時間あたりに増加可能な蒸気量の上限値である最大増加蒸気量が指示されたにも関わらず、当該ボイラの実際の出力蒸気量が指示蒸気量より過小となるおそれがある。その結果、給蒸を開始した当該増缶ボイラの出力蒸気量不足により、ボイラシステムが圧力低下に至るおそれがある。
【０００８】
したがって、台数制御装置（制御部）が、出力蒸気量を増加させる場合に、給蒸中のボイラの負荷が均一になるように各ボイラの燃焼率が最も低いボイラの出力蒸気量を優先的に増加させるという従来の制御を実行すると、台数制御装置（制御部）が給蒸を開始したボイラに対して給蒸開始直後に当該ボイラの単位時間あたりに増加可能な蒸気量の上限値である最大増加蒸気量を指示することになり、その結果、当該給蒸を開始したボイラの出力蒸気量不足により、ボイラシステムが圧力低下に至るという問題点がある。
【０００９】
本発明は、複数のボイラのうち給蒸していないボイラに対して、起蒸指示部により給蒸開始のための起蒸指示がなされた場合、前記ボイラが給蒸を開始したか否かを判定する第１判定部と、前記ボイラが第１判定部により給蒸を開始したと判定されてから、第１時間が経過したか否かを判定する第２判定部と、を備える。そうすることで、台数制御装置（制御部）は、給蒸開始直後のボイラの燃焼量増加を適切に制御し、そうすることで、ボイラシステムの圧力低下を抑制し、圧力安定性を維持できるボイラシステムを提供することを目的とする。
【課題を解決するための手段】
【００１０】
本発明は、燃焼率を変更して燃焼可能な複数のボイラからなり、負荷機器に蒸気を供給するボイラ群と、負荷機器からの要求負荷に応じた目標蒸気量の蒸気を生成するために、前記ボイラ群の燃焼状態を制御する制御部と、を備えるボイラシステムであって、前記制御部は、要求負荷に応じて、複数の前記ボイラのうち給蒸していないボイラに対して、給蒸開始のための起蒸指示を行う起蒸指示部と、前記起蒸指示部により起蒸指示された前記ボイラが給蒸を開始したか否かを判定する第１判定部と、前記第１判定部により、前記起蒸指示された前記ボイラが給蒸を開始したと判定されてから第１時間が経過したか否かを判定する第２判定部と、複数の前記ボイラのうち蒸気を供給しているボイラである給蒸ボイラの出力蒸気量を要求負荷に応じて変更することで、要求負荷に応じた目標蒸気量の蒸気を出力するための制御を行う出力制御部と、を備えるボイラシステムに関する。
【００１１】
前記出力制御部は、前記第１判定部により給蒸を開始したと判定された給蒸開始ボイラの単位時間あたりの出力蒸気量の増加量を、前記第２判定部により前記第１時間を経過したと判定されるまでの間、当該ボイラの単位時間あたりに増加可能な蒸気量の上限値として予め設定される最大増加蒸気量未満に抑制することが好ましい。
【００１２】
前記第２判定部により前記第１時間を経過したと判定されるまでの間、前記第1判定部により給蒸を開始したと判定された給蒸開始ボイラの単位時間あたりの出力蒸気量の増加量は、予め設定される第１増加量以下であることが好ましい。
【００１３】
前記第１増加量は前記給蒸開始ボイラの単位蒸気量とすることができる。
【００１４】
また、前記第１増加量は前記給蒸開始ボイラの最大蒸気量の１％以下とすることができる。
【００１５】
また、前記第１増加量はゼロとすることができる。
【発明の効果】
【００１６】
本発明のボイラシステムによれば、給蒸していないボイラが、起蒸指示部により給蒸開始のための起蒸指示をされた場合に、当該ボイラが給蒸を開始したか否かを第１判定部により判定し、当該ボイラが給蒸を開始したと第１判定部により判定されてから第１時間が経過したか否かを第２判定部により判定することで、台数制御装置（制御部）は、給蒸開始直後のボイラの燃焼量増加を適切に制御することができる。このため、ボイラ群の系統全体における指示蒸気量と出力蒸気量のずれを最小限に留め、ボイラシステムの圧力低下を抑制し、圧力安定性を維持できる。
【図面の簡単な説明】
【００１７】
【図１】本発明の一実施形態に係るボイラシステムの概略を示す図である。
【図２】本発明の一実施形態に係るボイラ群の概略を示す図である。
【図３】制御部の構成を示す機能ブロック図である。
【図４】ボイラシステムの動作を示すフローチャートである。
【図５】ボイラ群の燃焼状態の一例を示す図である。
【発明を実施するための形態】
【００１８】
以下、本発明のボイラシステムの好ましい実施形態について、図面を参照しながら説明する。
まず、本発明のボイラシステム１の全体構成につき、図１を参照しながら説明する。ボイラシステム１は、複数（５台）のボイラ２０を含むボイラ群２と、これら複数のボイラ２０において生成された蒸気を集合させる蒸気ヘッダ６と、この蒸気ヘッダ６の内部の圧力を測定する蒸気圧センサ７と、ボイラ群２の燃焼状態を制御する制御部４を有する台数制御装置３と、を備える。
【００１９】
ボイラ群２は、蒸気使用設備１８に供給する蒸気を生成する。
蒸気ヘッダ６は、蒸気管１１を介してボイラ群２を構成する複数のボイラ２０に接続されている。この蒸気ヘッダ６の下流側は、蒸気管１２を介して蒸気使用設備１８に接続されている。
蒸気ヘッダ６は、ボイラ群２で生成された蒸気を集合させて貯留することにより、複数のボイラ２０の相互の圧力差及び圧力変動を調整し、圧力が調整された蒸気を蒸気使用設備１８に供給する。
【００２０】
蒸気圧センサ７は、信号線１３を介して、台数制御装置３に電気的に接続されている。蒸気圧センサ７は、蒸気ヘッダ６の内部の蒸気圧（ボイラ群２で発生した蒸気の圧力）を測定し、測定した蒸気圧に係る信号（蒸気圧信号）を、信号線１３を介して台数制御装置３に送信する。
【００２１】
台数制御装置３は、信号線１６を介して、複数のボイラ２０と電気的に接続されている。この台数制御装置３は、蒸気圧センサ７により測定される蒸気ヘッダ６の内部の蒸気圧に基づいて、各ボイラ２０の燃焼状態を制御する。台数制御装置３の詳細については、後述する。
【００２２】
以上のボイラシステム１は、ボイラ群２で発生させた蒸気を、蒸気ヘッダ６を介して、蒸気使用設備１８に供給可能とされている。
ボイラシステム１において要求される負荷（要求負荷）は、蒸気使用設備１８における蒸気消費量である。台数制御装置３は、この蒸気消費量の変動に対応して生じる蒸気ヘッダ６の内部の蒸気圧の変動を、蒸気圧センサ７が測定する蒸気ヘッダ６の内部の蒸気圧（物理量）に基づいて算出し、ボイラ群２を構成する各ボイラ２０の燃焼状態を制御する。
【００２３】
具体的には、蒸気使用設備１８の需要の増大により要求負荷（蒸気消費量）が増加し、蒸気ヘッダ６に供給される蒸気量（後述の出力蒸気量）が不足すれば、蒸気ヘッダ６の内部の蒸気圧が減少することになる。一方、蒸気使用設備１８の需要の低下により要求負荷（蒸気消費量）が減少し、蒸気ヘッダ６に供給される蒸気量が過剰になれば、蒸気ヘッダ６の内部の蒸気圧が増加することになる。従って、ボイラシステム１は、蒸気圧センサ７により測定された蒸気圧の変動に基づいて、要求負荷の変動をモニターすることができる。そして、ボイラシステム１は、蒸気ヘッダ６の蒸気圧に基づいて、蒸気使用設備１８の消費蒸気量（要求負荷）に応じて必要とされる蒸気量である必要蒸気量を算出する。
【００２４】
ここで、本実施形態のボイラシステム１を構成する複数のボイラ２０について説明する。図２は、本実施形態に係るボイラ群２の概略を示す図である。
本実施形態のボイラ２０は、燃焼率を連続的に変更して燃焼可能な比例制御ボイラからなる。
比例制御ボイラとは、少なくとも、最小燃焼状態Ｓ１（例えば、燃焼率２０％の燃焼状態）から最大燃焼状態Ｓ２の範囲で、燃焼率が連続的に制御可能とされているボイラである。比例制御ボイラは、例えば、燃料をバーナに供給するバルブや、燃焼用空気を供給するバルブの開度（燃焼比）を制御することにより、燃焼率を調整するようになっている。
【００２５】
また、燃焼率を連続的に制御するとは、後述のローカル制御部２２における演算や信号がデジタル方式とされて段階的に取り扱われる場合（例えば、ボイラ２０の出力（燃焼率）が１％刻みで制御される場合）であっても、事実上連続的に出力を制御可能な場合を含む。
【００２６】
本実施形態では、ボイラ２０の燃焼停止状態Ｓ０と最小燃焼状態Ｓ１との間の燃焼状態の変更は、ボイラ２０（バーナ）の燃焼をオン／オフすることで制御される。そして、最小燃焼状態Ｓ１から最大燃焼状態Ｓ２の範囲においては、燃焼率が連続的に制御可能となっている。
より具体的には、複数のボイラ２０それぞれには、変動可能な蒸気量の単位である単位蒸気量Ｕが設定されている。これにより、ボイラ２０は、最小燃焼状態Ｓ１から最大燃焼状態Ｓ２の範囲においては、単位蒸気量Ｕ単位で、蒸気量を変更可能となっている。
【００２７】
単位蒸気量Ｕは、ボイラ２０の最大燃焼状態Ｓ２における蒸気量（最大蒸気量）に応じて適宜設定できるが、ボイラシステム１における出力蒸気量の必要蒸気量に対する追従性を向上させる観点から、ボイラ２０の最大蒸気量の０．１％〜２０％に設定されることが好ましく、１％〜１０％に設定されることがより好ましい。
なお、出力蒸気量とは、ボイラ群２により出力される蒸気量を示し、この出力蒸気量は、複数のボイラ２０それぞれから出力される蒸気量の合計値により表される。
【００２８】
複数のボイラ２０それぞれには、単位時間あたりに変動可能な蒸気量の上限値である最大変動蒸気量が設定されている。本実施形態では、最大変動蒸気量は、１秒間で変動させられる蒸気量の上限値として設定される。また、この最大変動蒸気量は、単位蒸気量Ｕの整数倍（例えば、単位蒸気量×１）に対応する値に設定される。
最大変動蒸気量として、単位時間あたりに増加可能な蒸気量の上限値である最大増加蒸気量と、単位時間あたりに減少可能な蒸気量の上限値である最大減少蒸気量と、がそれぞれ設定される。
なお、最大変動蒸気量の設定として、単位蒸気量Ｕの整数倍（例えば、単位蒸気量×１）に対応する値に替えて、ボイラ２０の最大蒸気量に対する割合（例えば、百分率による割合）を用いてもよい。また、ボイラ２０の最大変動蒸気量を出力する燃焼率を設定してもよい。
【００２９】
また、複数のボイラ２０には、それぞれ優先順位が設定されている。優先順位は、燃焼指示や燃焼停止指示等を行うボイラ２０を選択するために用いられる。優先順位は、例えば整数値を用いて、数値が小さいほど優先順位が高くなるよう設定することができる。図２に示すように、ボイラ２０の１号機〜５号機のそれぞれに「１」〜「５」の優先順位が割り当てられている場合、１号機の優先順位が最も高く、５号機の優先順位が最も低い。この優先順位は、通常の場合、後述の制御部４の制御により、所定の時間間隔（例えば、２４時間間隔）で変更される。
【００３０】
また、ボイラ群２には、給蒸ボイラの台数を決定するための基準閾値が設定されている。本実施形態では、基準閾値として基準蒸気量を用いることとしている。
【００３１】
例えば、必要蒸気量が所定の基準蒸気量に達する（以上又はより大きくなる）と、給蒸していない（燃焼停止状態又は連続パイロット燃焼状態の）ボイラ２０の燃焼を開始し、ボイラ２０の台数が増加する。
また、必要蒸気量が予め設定された基準蒸気量に達する（以下になる又はより小さくなる）と給蒸ボイラ２０のうちの１のボイラ２０を燃焼停止状態又は連続パイロット燃焼状態にする。
これら所定の基準蒸気量は、任意に設定することができ、また、給蒸ボイラの台数を決定するための基準閾値として、基準蒸気量以外の任意の情報を用いることとしてもよい。
【００３２】
例えば、基準閾値は、給蒸ボイラ２０の燃焼率であってもよい。
燃焼率を用いる場合、給蒸ボイラ２０の燃焼率が所定の基準閾値（例えば、給蒸ボイラ２０が１台の場合は５０％、２台の場合は１００％、３台の場合は１５０％等）に達すると、給蒸していないボイラ２０が燃焼を開始し給蒸ボイラ２０の台数を増加する。
逆に、給蒸ボイラ２０の燃焼率が所定の基準閾値（例えば、燃焼状態にあるボイラ２０が２台の場合は５０％、３台の場合は１００％、４台の場合は１５０％等）に達すると、給蒸ボイラ２０を燃焼停止状態又は連続パイロット燃焼状態にし、給蒸ボイラ２０の台数を減少する。
【００３３】
以上のボイラ２０は、図１に示すように、燃焼が行われるボイラ本体２１と、ボイラ２０の燃焼状態を制御するローカル制御部２２と、を備える。
ローカル制御部２２は、要求負荷に応じてボイラ２０の燃焼状態を変更させる。具体的には、ローカル制御部２２は、信号線１６を介して台数制御装置３から送信される台数制御信号に基づいて、ボイラ２０の燃焼状態を制御する。
また、ローカル制御部２２は、台数制御装置３で用いられる信号を、信号線１６を介して台数制御装置３に送信する。台数制御装置３で用いられる信号としては、ボイラ２０の実際の燃焼状態、及びその他のデータが挙げられる。
【００３４】
次に、台数制御装置３の詳細について説明する。
台数制御装置３は、蒸気圧センサ７からの蒸気圧信号に基づいて、要求負荷に応じたボイラ群２の必要蒸気量、及び必要蒸気量に対応する各ボイラ２０の燃焼状態を算出し、各ボイラ２０（ローカル制御部２２）に台数制御信号を送信する。この台数制御装置３は、図１に示すように、記憶部５と、制御部４と、を備える。
【００３５】
記憶部５は、台数制御装置３（制御部４）の制御により各ボイラ２０に対して行われた指示の内容や、各ボイラ２０から受信した燃焼状態等の情報、複数のボイラ２０の燃焼パターンの設定条件等の情報、給蒸ボイラの台数を決定するための基準閾値に関する設定の情報、各ボイラ２０の単位蒸気量Ｕについての情報、各ボイラ２０の最大変動蒸気量についての情報、複数のボイラ２０の優先順位の設定の情報、優先順位の変更（ローテーション）に関する設定の情報等を記憶する。なお、単位蒸気量Ｕ、最大変動蒸気量（最大増加蒸気量及び最大減少蒸気量）の値は、各ボイラ毎に異なってもよい。
【００３６】
また、後述するように、記憶部５は、各ボイラ２０の給蒸開始直後の単位時間あたりに増加可能な蒸気量に関する設定情報（第１時間及び第１増加量等）を記憶する。例えば、第１増加量は各ボイラ２０の単位蒸気量Ｕの整数倍（例えば、単位蒸気量Ｕ×２）としてもよい。特に第１増加量は各ボイラ２０の単位蒸気量Ｕとしてもよい。また、第１増加量は各ボイラ２０の最大蒸気量の１％以下としてもよい。また、第１増加量をゼロ、すなわち、出力蒸気量を増加させないように設定してもよい。
【００３７】
制御部４は、信号線１６を介して各ボイラ２０に各種の指示を行ったり、各ボイラ２０から各種のデータを受信したりして、複数のボイラ２０の燃焼状態や優先順位を制御する。各ボイラ２０は、台数制御装置３から燃焼状態の変更指示の信号を受けると、その指示に従って当該ボイラ２０を制御する。
【００３８】
ここで、蒸気使用設備１８の消費蒸気量（要求負荷）が増大し必要蒸気量が予め設定された所定の基準蒸気量に達すると、制御部４は、燃焼停止状態Ｓ０又は連続パイロット燃焼状態にあるボイラ２０の燃焼を開始し、給蒸ボイラ２０の台数を増加する。
【００３９】
ボイラの特性や設備的な問題で、給蒸を開始したボイラは、給蒸開始直後、出力蒸気量増加が安定しないことが発生することもあるため、例えば当該ボイラの単位時間あたりに増加可能な蒸気量の上限値である最大増加蒸気量を指示されたにも関わらず、当該ボイラの実際の出力蒸気量が指示蒸気量より過小となることがある。
【００４０】
そこで、制御部４は、給蒸を開始したボイラが存在する場合には、当該ボイラが給蒸を開始してから第１時間を経過したと判定されるまでの間、当該ボイラの単位時間あたりに増加可能な蒸気量の上限値である最大増加蒸気量に換えて第１増加量を用いることで、当該ボイラの単位時間あたりの出力蒸気量増加を抑制し、給蒸を開始したボイラ以外の他の給蒸ボイラに残りの出力蒸気量増加を分担させる。なお、「当該ボイラが給蒸を開始してから第１時間を経過したと判定されるまでの間」は、「当該ボイラが給蒸を開始して台数制御に組み込まれてから第１時間を経過したと判定されるまでの間」としてもよい。
【００４１】
以上の機能を実現するために、制御部４は、蒸気量算出部４１と、起蒸指示部４２と、第１判定部４３と、第２判定部４４と、出力制御部４５と、を備える。
【００４２】
蒸気量算出部４１は、蒸気ヘッダ６の蒸気圧に基づいて、要求負荷に応じた必要蒸気量を算出する。
【００４３】
起蒸指示部４２は、蒸気使用設備１８の消費蒸気量（要求負荷）が増大し、予め設定された基準閾値に達する（以上又はより大きくなる）と、燃焼停止状態Ｓ０又は連続パイロット燃焼状態にあるボイラ２０に対して蒸気供給（給蒸）を開始するための起蒸指示を行う。
ここで、燃焼停止状態Ｓ０にあるボイラ２０に対する起蒸指示は、例えば、パイロットバーナを点火すると共に送風機を運転させてボイラ２０の内部に滞留した可燃成分を除去するパイロット運転指示と、メインバーナによる燃焼指示を含む。また、連続パイロット燃焼状態にあるボイラ２０に対する起蒸指示は、メインバーナによる燃焼指示を含む。
制御部４は、起蒸指示を受けたボイラ（増缶ボイラ）２０に関して、起蒸指示が出された旨の情報を記憶部５に記憶する。
【００４４】
なお、起蒸指示部４２が起蒸指示を行った後、制御部４は増缶ボイラ２０から発生する蒸気の圧力が上がり始めるまで、増缶ボイラ２０を最大燃焼率（１００％）で燃焼させてもよい。ここで、発生する蒸気の圧力が上がり始めるまでとは、例えば、増缶ボイラ２０から発生する蒸気の蒸気圧力が所定圧力に上昇するまでであってもよく、また、ボイラ２０の水管温度が所定温度を超えるまでであってもよく、また、最大燃焼率での燃焼を開始してから所定時間を経過するまでであってもよい。こうすることにより、増缶ボイラ２０の缶水を早急に沸騰させることができ、増缶ボイラ２０が蒸気を発生するまでにかかる時間を低減することができる。
そして、制御部４は、増缶ボイラ２０から発生する蒸気の圧力が上がり始めた後、第１判定部４３により当該ボイラ２０が給蒸を開始すると判定されるまで、最小燃焼率（２０％）で、当該ボイラ２０を燃焼させてもよい。
【００４５】
第１判定部４３は、増缶ボイラ２０が給蒸を開始したかどうかを判定する。ここで、給蒸開始の判定は増缶ボイラ２０から発生する蒸気圧力に基づいて行うことができる。一例として、第１判定部４３は、ボイラ２０から発生する蒸気圧力が、蒸気ヘッダ６の蒸気圧力よりも蒸気管１１の圧力損失分高くなると、増缶ボイラ２０が給蒸を開始したと判定することができる。なお、第１判定部４３は、増缶ボイラ２０から発生する蒸気圧力が、蒸気ヘッダ６の蒸気圧力よりも蒸気管１１の圧力損失分高くなるとともに、計時部（図示せず）により、バーナが着火してから所定時間が経過したことを計測することで、増缶ボイラ２０が給蒸を開始したと判定してもよい。
【００４６】
また、このような給蒸開始の判定は、台数制御装置３の制御部４ではなく、増缶ボイラ２０のローカル制御部２２により行うこととしてもよい。ローカル制御部２２が給蒸開始の判定を行う場合、ローカル制御部２２から所定の通知を受けることで、制御部４（第１判定部４３）が増缶ボイラ２０の給蒸開始を判断する。すなわち、増缶ボイラ２０が給蒸開始となったことをローカル制御部２２が判断すると、ローカル制御部２２が給蒸開始の旨を台数制御装置３に通知することで、制御部４（第１判定部４３）が増缶ボイラ２０の給蒸開始の判断を行う。
【００４７】
この際、制御部４は、増缶ボイラ２０の単位時間あたりに増加可能な蒸気量の上限値を予め設定されている最大増加蒸気量に換えて第１増加量に補正してもよい。こうすることで、増缶ボイラ２０が給蒸を開始してから第１時間を経過するまでの間（又は、増缶ボイラ２０が給蒸を開始して台数制御に組み込まれてから第１時間を経過するまでの間）増缶ボイラ２０の単位時間あたりの出力蒸気量増加を抑制し、そうすることで増缶ボイラ２０以外の他の給蒸ボイラに残りの出力蒸気量増加を分担させることができる。
【００４８】
第２判定部４４は、第１判定部４３によりボイラ２０が給蒸を開始したと判定されてから(又は、第１判定部４３によりボイラ２０が給蒸を開始したと判定され出力制御部４５により台数制御に組み込まれてから)、さらに第１時間、例えば２０秒間経過したかを、計時部により判定する。そして、第１時間の経過後、制御部４は、増缶ボイラ２０の単位時間あたりに増加可能な蒸気量の上限値を第１増加量から元の最大増加蒸気量に戻す。こうすることで、第１時間の経過後、台数制御装置３（制御部４）は、増缶ボイラ２０に対して、他の給蒸ボイラと同様に、予め設定された最大増加蒸気量の増加を指示することができるようになる。なお、第１時間はボイラの特性等に応じて適宜設定することができる。
【００４９】
出力制御部４５は、第２判定部４４により第１時間、例えば２０秒間を経過したと判定されるまでの間、仮に、蒸気使用設備１８の需要の増大により要求負荷（蒸気消費量）が増加した場合、増缶ボイラ２０へ指示する出力蒸気量増加分が第１増加量を超えないように抑制する。その結果、必要蒸気量と出力蒸気量との偏差量から増缶ボイラ２０に指示した出力蒸気量増加分を差し引いた偏差残量を増缶ボイラ２０以外の他の給蒸ボイラ２０に分担させるように制御することとなる。
前述したように、第１増加量は例えば、増缶ボイラ２０の単位蒸気量Ｕの整数倍（例えば、単位蒸気量Ｕ×２）としてもよい。第１増加量は例えば、増缶ボイラ２０の単位蒸気量Ｕとしてもよい。また、第１増加量は増缶ボイラ２０の最大蒸気量の１％以下としてもよい。また、第１増加量をゼロ、すなわち、出力制御部４５は、増缶ボイラ２０の出力蒸気量の増加量を、第２判定部４４により第１時間を経過したと判定するまでの間、ゼロとしてもよい。
【００５０】
その後、第２判定部４４により、第１時間、例えば２０秒間を経過したと判定されると、前述したように、増缶ボイラ２０の単位時間あたりに増加可能な蒸気量の上限値は第１増加量から元の最大増加蒸気量に戻される。こうすることで、出力制御部４５は、増缶ボイラ２０を含む複数の前記給蒸ボイラ２０の出力蒸気量を要求負荷に応じて連続的に変更することで、要求負荷に応じた目標蒸気量の蒸気を出力するための制御を行うこととなる。
【００５１】
本実施形態では、以上の制御を所定の単位時間間隔で（例えば、１秒間毎に）実施している。
【００５２】
以上のような構成の制御部４によれば、給蒸を開始したボイラが存在する場合においても、蒸気使用設備１８の需要の増大により、出力蒸気量を増加させる際に、給蒸を開始してから第１時間が経過するまで、当該ボイラ以外の他の給蒸ボイラに出力蒸気量増加を分担させることができ、制御部４による指示蒸気量とボイラ群の出力蒸気量のずれを最小限に留めることで、ボイラシステム１の圧力低下を抑制し、圧力安定性を維持することができる。
【００５３】
次に、本実施形態のボイラシステム１において、蒸気使用設備１８の需要の増大により要求負荷（蒸気消費量）が増加した場合の動作について、図４を参照しながら説明する。図４は、本実施形態のボイラシステム１の燃焼停止状態Ｓ０にあるボイラ２０が起蒸指示を受けてから、給蒸を開始し、給蒸開始後第１時間を経過するまでの期間における動作を示すフローチャートである。
【００５４】
ステップＳＴ１において、蒸気使用設備１８の消費蒸気量（要求負荷）が増大し、予め設定された基準閾値に達する（以上又はより大きくなる）と、起蒸指示部４２は、燃焼停止状態Ｓ０又は連続パイロット燃焼状態にあるボイラ２０に対して起蒸指示を行う。
【００５５】
ステップＳＴ２において、出力制御部４５は、起蒸指示を受けたボイラ（増缶ボイラ）２０が給蒸を開始するまでの間は、給蒸ボイラによるバックアップ制御を行う。
【００５６】
ステップＳＴ３において、第１判定部４３は、増缶ボイラ２０が給蒸を開始したかどうかを判定する。増缶ボイラ２０が給蒸を開始したと判定した場合（Ｙｅｓ）、ステップＳＴ４に進む。増缶ボイラ２０が給蒸を開始していないと判定した場合（Ｎｏ）、ステップＳＴ２に戻る。
【００５７】
ステップＳＴ４において、制御部４は、増缶ボイラ２０の単位時間あたりに増加可能な蒸気量の上限値を最大増加蒸気量に換えて第１増加量に補正し、出力制御部４５は、当該ボイラ２０を台数制御に組み込む。なお、給蒸可能になった増缶ボイラ２０の出力蒸気量分、他の給蒸ボイラ２０の出力蒸気量を減少させる。
【００５８】
ステップＳＴ５において、出力制御部４５は、要求負荷が増大した場合、増缶ボイラ２０の単位時間あたりの出力蒸気量増加量が第１増加量を超えないように抑制して、他の給蒸ボイラに出力蒸気量増加を分担するように制御する。（なお、要求負荷が減少した場合は、他の給蒸ボイラの出力蒸気量を減少するように制御する。）
【００５９】
ステップＳＴ６において、第２判定部４４は、増缶ボイラ２０が給蒸を開始して台数制御に組み込まれてから、第１時間（例えば２０秒間）が経過したかどうかを判定する。増缶ボイラ２０が給蒸を開始して台数制御に組み込まれてから、第１時間（例えば２０秒間）が経過したと判定した場合（Ｙｅｓ）、ステップＳＴ７に進む。第１時間（例えば２０秒間）が経過していないと判定した場合（Ｎｏ）、ステップＳＴ５に戻る。
【００６０】
ステップＳＴ７において、制御部４は、増缶ボイラ２０の単位時間あたりに増加可能な蒸気量の上限値を第１増加量から元の最大増加蒸気量に戻す。こうすることで、第１時間の経過後、台数制御装置（制御部）は、増缶ボイラ２０に対して、他の給蒸ボイラと同様に、予め設定された最大増加蒸気量の増加を指示することができるようになる。
【００６１】
次に、本実施形態のボイラシステム１の動作の具体例につき、図５を参照しながら説明する。ここでは、図５に示すように、ボイラシステム１は、５台のボイラ２０からなるボイラ群２を有し、それぞれのボイラ２０の単位蒸気量Ｕは、図５に示す一目盛分に設定されている。それぞれのボイラ２０の最大増加蒸気量は単位蒸気量Ｕ×７である。また、ボイラ２０の１号機〜５号機のそれぞれには、「１」〜「５」の優先順位が割り当てられている。なお、ここでは、１号機ボイラ２０〜５号機ボイラ２０の単位蒸気量Ｕは、すべて同一であるとする。また、第１増加量として単位蒸気量Ｕが設定されているとする。
【００６２】
蒸気使用設備１８の消費蒸気量（要求負荷）が増大し必要蒸気量が増加基準蒸気量に達すると、起蒸指示部４１は、燃焼停止状態Ｓ０のボイラ２０に対して起蒸指示を行う。図５（１）では、起蒸指示部４１は、燃焼停止状態Ｓ０の３号機ボイラ〜５号機ボイラのうち、３号機ボイラに対して起蒸指示を行っている。なお、３号機ボイラを燃焼停止状態Ｓ０と仮定したが、連続パイロット燃焼状態と仮定してもよい。
【００６３】
起蒸指示に基づき３号機ボイラが燃焼を開始すると、第１判定部４３は、３号機ボイラから発生する蒸気の蒸気圧力に基づいて３号機ボイラが給蒸を開始したか否かを判定する。図５（２）では、３号機ボイラが未だ給蒸を開始していないものとする。
起蒸指示を行った３号機ボイラが給蒸を開始していない場合、出力制御部４５は、３号機ボイラから発生させる予定の蒸気を既に燃焼状態にある１号機ボイラ及び２号機ボイラから代わりに発生させるよう、１号機ボイラ及び２号機ボイラの燃焼率を上昇させる。また、出力制御部４５は、３号機ボイラが給蒸を開始するまでの間、蒸気使用設備１８の消費蒸気量（要求負荷）の変動に応じて１号機ボイラ及び２号機ボイラの燃焼率を連続的に変更する。
【００６４】
その後、３号機ボイラが給蒸を開始すると、１号機ボイラ、２号機ボイラ及び３号機ボイラから発生した蒸気がボイラ群２から発生することになる。このとき、３号機ボイラの代わりに１号機ボイラ及び２号機ボイラから発生させていた蒸気が過剰になるため、出力制御部４３は、図５（３）に示すように、３号機ボイラから発生する蒸気量分だけ１号機ボイラ及び２号機ボイラから発生する蒸気量を減少させる。すなわち、給蒸開始になった３号機ボイラの燃焼率分、１号機ボイラ及び２号機ボイラの燃焼率を減少させる。
【００６５】
３号機ボイラが給蒸を開始して台数制御に組み込まれてから、第１時間が経過するまでの状態（図５（３）の状態）において、単位時間（例えば１秒）毎に、単位蒸気量Ｕの７倍の偏差量に相当する必要蒸気量の増加があった場合（要求負荷が増加した場合）におけるボイラシステム１の動作につき説明する。
【００６６】
初めの１秒間におけるボイラシステム１の動作につき説明する。なお、図５（４）は、図５（３）に示す状態から１秒が経過した場合のボイラ群２の燃焼状態を示す図である。
【００６７】
制御部４は、３台のボイラ２０を、燃焼率の低い順に選択する。尚、図５（３）に示す状態では、１号機ボイラ２０と２号機ボイラ２０の燃焼率が等しいため、制御部４は、優先順位に基づいて、３号機ボイラ２０、１号機ボイラ２０、２号機ボイラ２０の順を選択する。
【００６８】
出力制御部４５は、３号機ボイラ２０が給蒸を開始してから、第１時間が経過していないことから、３号機ボイラ２０の単位時間あたりの出力蒸気量増加量が第１増加量（単位蒸気量Ｕ）を超えないように抑えて、必要蒸気量と出力蒸気量との偏差量（単位蒸気量Ｕ×７）から３号機ボイラ２０に指示した出力蒸気量増加分（単位蒸気量Ｕ）を差し引いた偏差残量（単位蒸気量Ｕ×６）を１号機ボイラ２０と２号機ボイラ２０に分担させるように制御する。
【００６９】
出力制御部４５は、一例として、単位蒸気量Ｕ×３をそれぞれ１号機ボイラ２０と２号機ボイラ２０に分担させるように制御する。
【００７０】
その結果、出力制御部４５は、図５（４）に示すように、３号機ボイラ２０、１号機ボイラ２０、及び２号機ボイラ２０の蒸気量を、それぞれ、単位蒸気量Ｕ分、単位蒸気量Ｕ×３、及び単位蒸気量Ｕ×３増加させる。
【００７１】
以上説明した本実施形態のボイラシステム１によれば、以下のような効果を奏する。
【００７２】
燃焼させるボイラの台数を増加させる場合、台数制御装置３は、複数のボイラのうち給蒸していないボイラ２０に対して、給蒸開始のための起蒸指示を行う。その結果、前記起蒸指示を受けたボイラ２０は通常、最少燃焼率、例えば２０％で燃焼を開始する。
しかしながら、起蒸指示を受けたボイラ２０は、給蒸開始直後は、出力蒸気量増加が安定しないことがあるため、例えば当該ボイラ２０の単位時間あたりに増加可能な蒸気量の上限値である最大増加蒸気量が指示されたにも関わらず、当該ボイラ２０の実際の出力蒸気量が指示蒸気量より過小となるおそれがある。
【００７３】
すなわち、台数制御装置３が、出力蒸気量を増加させる場合に、給蒸中のボイラ２０の負荷が均一になるように各ボイラの燃焼率が最も低いボイラ２０の出力蒸気量を優先的に増加させるという従来の制御を実行すると、当該給蒸を開始したボイラの出力蒸気量不足により、ボイラシステムが圧力低下に至るおそれがある。
【００７４】
そこで、蒸気使用設備１８の消費蒸気量（要求負荷）が増大し、予め設定された基準閾値に達する（以上又はより大きくなる）と、起蒸指示部４２は、燃焼停止状態Ｓ０又は連続パイロット燃焼状態にあるボイラ２０に対して起蒸指示を行い、出力制御部４５は、第１判定部４３により給蒸を開始したと判定された給蒸開始ボイラ２０の単位時間あたりの出力蒸気量の増加量を、第２判定部４４により第１時間を経過したと判定されるまでの間、当該ボイラの単位時間あたりに増加可能な蒸気量の上限値として予め設定される最大増加蒸気量未満に抑制して、他の給蒸ボイラに出力蒸気量増加を分担するように制御する。
なお、第1判定部４６により給蒸を開始したと判定された給蒸開始ボイラ２０の出力蒸気量の増加量は、第２判定部４４により第１時間を経過したと判定されるまでの間、予め設定される第１増加量以下としてもよい。
その際、第１増加量として、例えば給蒸開始ボイラ２０の単位蒸気量、給蒸開始ボイラ２０の最大蒸気量の１％以下、又はゼロとすることができる。
【００７５】
これにより、起蒸指示を受けたボイラ２０が、給蒸開始直後に、出力蒸気量増加が安定せず、例えば当該ボイラ２０の単位時間あたりに増加可能な蒸気量の上限値である最大増加蒸気量が指示されたにも関わらず、当該ボイラ２０の実際の出力蒸気量が指示蒸気量より過小となるおそれがある場合においても、当該ボイラ２０が給蒸を開始してから第１時間を経過したと判定されるまでの間、当該ボイラの単位時間あたりの出力蒸気量増加を抑制して、当該ボイラ以外の他のボイラに出力蒸気量増加を分担させることができる。このため、ボイラ群の系統全体における指示蒸気量と出力蒸気量のずれを最小限に留めることで、圧力低下を抑制することができ、圧力安定性を維持できる。
【００７６】
以上、本発明のボイラシステム１の好ましい一実施形態につき説明したが、本発明は、上述の実施形態に制限されるものではなく、適宜変更が可能である。
例えば、本実施形態では、本発明を、５台のボイラ２０からなるボイラ群２を備えるボイラシステムに適用したが、これに限らない。すなわち、本発明を、６台以上のボイラからなるボイラ群を備えるボイラシステムに適用してもよく、また、４台以下のボイラからなるボイラ群を備えるボイラシステムに適用してもよい。
【００７７】
また、本実施形態では、ボイラ２０を、燃焼停止状態Ｓ０と最小燃焼状態Ｓ１との間の燃焼状態の変更をボイラ２０の燃焼をオン／オフすることで制御し、最小燃焼状態Ｓ１から最大燃焼状態Ｓ２の範囲においては出力蒸気量を連続的に制御可能な比例制御ボイラ２０により構成したが、これに限らない。すなわち、ボイラを、燃焼停止状態から最大燃焼状態の範囲すべてにおいて、出力蒸気量を連続的に制御可能な比例制御ボイラにより構成してもよい。
【００７８】
また、本実施形態では、ボイラ群２を、単位蒸気量Ｕの等しい複数のボイラ２０により構成したが、これに限らない。すなわち、ボイラ群を、単位蒸気量の異なる複数のボイラにより構成してもよい。
【符号の説明】
【００７９】
１  ボイラシステム
２  ボイラ群
４  制御部
２０  ボイラ
４１  蒸気量算出部
４２  起蒸指示部
４３  第１判定部
４４  第２判定部
４５  出力制御部
【図１】
2015190664.tif 000003
【図２】
2015190664.tif 000004
【図３】
2015190664.tif 000005
【図４】
2015190664.tif 000006
【図５】
2015190664.tif 000007